【手続補正書】
【提出日】平成17年9月30日(2005.9.30)
【手続補正１】
【補正対象書類名】明細書
【補正対象項目名】発明の名称
【補正方法】変更
【補正の内容】
【発明の名称】データ処理装置および方法、並びにデータ復号処理装置および方法
【手続補正２】
【補正対象書類名】明細書
【補正対象項目名】特許請求の範囲
【補正方法】変更
【補正の内容】
【特許請求の範囲】
【請求項１】 コンテンツ鍵によってコンテンツを暗号化し、少なくとも前記コンテンツ鍵を記憶媒体に記憶するデータ処理装置において、
前記記憶媒体との相互認証を行うとともに、前記記憶媒体と共有するための一時鍵を生成する相互認証手段と、
前記コンテンツ鍵を前記一時鍵によって暗号化する暗号化手段と、
少なくとも、前記一時鍵によって暗号化した前記コンテンツ鍵を前記記憶媒体に送信する送信手段と
を備えることを特徴とするデータ処理装置。
【請求項２】 前記データ処理装置は、
前記コンテンツ鍵を復号するための配送鍵を記憶する記憶手段と、
前記配送鍵によって前記コンテンツ鍵を復号する復号手段と
を更に備え、
前記暗号化手段は、前記復号手段で復号された前記コンテンツ鍵を前記一時鍵によって暗号化する
ことを特徴とする請求項１に記載のデータ処理装置。
【請求項３】 前記一時鍵は、前記コンテンツ鍵を暗号化するだけでなく、前記コンテンツ鍵で暗号化された前記コンテンツ、使用許諾情報、料金情報、または使用回数情報も暗号化する
ことを特徴とする請求項１に記載のデータ処理装置。
【請求項４】 コンテンツ鍵によってコンテンツを暗号化し、少なくとも前記コンテンツ鍵を記憶媒体に記憶するデータ処理方法において、
前記記憶媒体との相互認証を行うとともに、前記記憶媒体と共有するための一時鍵を生成する相互認証ステップと、
前記コンテンツ鍵を前記一時鍵によって暗号化する暗号化ステップと、
少なくとも、前記一時鍵によって暗号化した前記コンテンツ鍵を前記記憶媒体に送信する送信ステップと
を含むことを特徴とするデータ処理方法。
【請求項５】 コンテンツ鍵によってコンテンツを暗号化し、少なくとも前記コンテンツ鍵を記憶媒体に記憶するデータ処理装置において、
前記記憶媒体との相互認証を行うとともに、前記記憶媒体と共有するための一時鍵を生成する相互認証手段と、
前記記憶媒体から前記一時鍵によって暗号化された保存鍵を受信する受信手段と、
前記一時鍵によって前記保存鍵を復号する復号手段と、
前記保存鍵によって前記コンテンツ鍵を暗号化する暗号化手段と、
少なくとも、前記保存鍵で暗号化した前記コンテンツ鍵を前記記憶媒体に送信する送信手段と
を備えることを特徴とするデータ処理装置。
【請求項６】 前記データ処理装置は、
前記コンテンツ鍵を復号するための配送鍵を記憶する記憶手段と、
前記配送鍵によって暗号化された前記コンテンツ鍵を復号する復号手段と
を更に備え、
前記暗号化手段は、前記復号手段で復号された前記コンテンツ鍵を前記保存鍵によって暗号化する
ことを特徴とする請求項５に記載のデータ処理装置。
【請求項７】 コンテンツ鍵によってコンテンツを暗号化し、少なくとも前記コンテンツ鍵を記憶媒体に記憶するデータ処理方法において、
前記記憶媒体との相互認証を行うとともに、前記記憶媒体と共有するための一時鍵を生成する相互認証ステップと、
前記記憶媒体から前記一時鍵によって暗号化された保存鍵を受信する受信ステップと、
前記一時鍵によって前記保存鍵を復号する復号ステップと、
前記保存鍵によって前記コンテンツ鍵を暗号化する暗号化ステップと、
少なくとも、前記保存鍵で暗号化した前記コンテンツ鍵を前記記憶媒体に送信する送信ステップと
を含むことを特徴とするデータ処理方法。
【請求項８】 コンテンツ鍵を生成し、前記コンテンツ鍵でコンテンツを暗号化し、少なくとも前記コンテンツ鍵を記憶媒体に記憶するデータ処理装置において、
前記コンテンツ鍵によって前記コンテンツを暗号化する第１の暗号化手段と、
前記記憶媒体と相互認証を行うとともに、前記記憶媒体と共有するための一時鍵を生成する相互認証手段と、
前記一時鍵によって前記コンテンツ鍵を暗号化する第２の暗号化手段と、
少なくとも、前記一時鍵によって暗号化した前記コンテンツ鍵を前記記憶媒体に送信する送信手段と
を備えることを特徴とするデータ処理装置。
【請求項９】 コンテンツ鍵を生成し、前記コンテンツ鍵でコンテンツを暗号化し、少なくとも前記コンテンツ鍵を記憶媒体に記憶するデータ処理方法において、
前記コンテンツ鍵によって前記コンテンツを暗号化する第１の暗号化ステップと、
前記記憶媒体と相互認証を行うとともに、前記記憶媒体と共有するための一時鍵を生成する相互認証ステップと、
前記一時鍵によって前記コンテンツ鍵を暗号化する第２の暗号化ステップと、
少なくとも、前記一時鍵によって暗号化した前記コンテンツ鍵を前記記憶媒体に送信する送信ステップと
を含むことを特徴とするデータ処理方法。
【請求項１０】 コンテンツ鍵を生成し、前記コンテンツ鍵でコンテンツを暗号化し、少なくとも前記コンテンツ鍵を記憶媒体に記憶するデータ処理装置において、
前記コンテンツ鍵で前記コンテンツを暗号化する第１の暗号化手段と、
前記記憶媒体と相互認証を行うともに、前記記憶媒体と共有するための一時鍵を生成する相互認証手段と、
前記記憶媒体から前記一時鍵によって暗号化された保存鍵を受信する受信手段と、
前記一時鍵によって前記保存鍵を復号する復号手段と、
前記保存鍵によって前記コンテンツ鍵を暗号化する第２の暗号化手段と、
少なくとも、前記保存鍵で暗号化した前記コンテンツ鍵を前記記憶媒体に送信する送信手段と
を備えることを特徴とするデータ処理装置。
【請求項１１】 コンテンツ鍵を生成し、前記コンテンツ鍵でコンテンツを暗号化し、少なくとも前記コンテンツ鍵を記憶媒体に記憶するデータ処理方法において、
前記コンテンツ鍵で前記コンテンツを暗号化する第１の暗号化ステップと、
前記記憶媒体と相互認証を行うともに、前記記憶媒体と共有するための一時鍵を生成する相互認証ステップと、
前記記憶媒体から前記一時鍵によって暗号化された保存鍵を受信する受信ステップと、
前記一時鍵によって前記保存鍵を復号する復号ステップと、
前記保存鍵によって前記コンテンツ鍵を暗号化する第２の暗号化ステップと、
少なくとも、前記保存鍵で暗号化した前記コンテンツ鍵を前記記憶媒体に送信する送信ステップと
を含むことを特徴とするデータ処理方法。
【請求項１２】 コンテンツを復号するコンテンツ鍵を記憶する記憶媒体から前記コンテンツ鍵を受信し、前記コンテンツ鍵によって前記コンテンツを復号するデータ復号処理装置において、
前記記憶媒体と相互認証を行うともに、前記記憶媒体と共有するための一時鍵を生成する相互認証手段と、
前記記憶媒体から前記一時鍵によって暗号化された前記コンテンツ鍵を受信する受信手段と、
前記一時鍵によって前記コンテンツ鍵を復号する第１の復号手段と、
前記コンテンツ鍵によって前記コンテンツを復号する第２の復号手段と
を備えることを特徴とするデータ復号処理装置。
【請求項１３】 コンテンツを復号するコンテンツ鍵を記憶する記憶媒体から前記コンテンツ鍵を受信し、前記コンテンツ鍵によって前記コンテンツを復号するデータ復号処理方法において、
前記記憶媒体と相互認証を行うともに、前記記憶媒体と共有するための一時鍵を生成する相互認証ステップと、
前記記憶媒体から前記一時鍵によって暗号化された前記コンテンツ鍵を受信する受信ステップと、
前記一時鍵によって前記コンテンツ鍵を復号する第１の復号ステップと、
前記コンテンツ鍵によって前記コンテンツを復号する第２の復号ステップと
を含むことを特徴とするデータ復号処理方法。
【請求項１４】 コンテンツを復号するコンテンツ鍵を記憶する記憶媒体から前記コンテンツ鍵を受信し、当該コンテンツ鍵で前記コンテンツを復号するデータ復号処理装置において、
前記記憶媒体と相互認証を行うともに、前記記憶媒体と共有するための一時鍵を生成する相互認証手段と、
前記記憶媒体から前記一時鍵によって暗号化された保存鍵を受信する受信手段と、
前記一時鍵によって前記保存鍵を復号する第１の復号手段と、
前記記憶媒体から前記保存鍵によって暗号化された前記コンテンツ鍵を読み出す読み出し手段と、
前記保存鍵によって前記コンテンツ鍵を復号する第２の復号手段と、
前記コンテンツ鍵によって前記コンテンツを復号する第３の復号手段と
を備えることを特徴とするデータ復号処理装置。
【請求項１５】 コンテンツを復号するコンテンツ鍵を記憶する記憶媒体から前記コンテンツ鍵を受信し、当該コンテンツ鍵で前記コンテンツを復号するデータ復号処理方法において、
前記記憶媒体と相互認証を行うともに、前記記憶媒体と共有するための一時鍵を生成する相互認証ステップと、
前記記憶媒体から前記一時鍵によって暗号化された保存鍵を受信する受信ステップと、
前記一時鍵によって前記保存鍵を復号する第１の復号ステップと、
前記記憶媒体から前記保存鍵によって暗号化された前記コンテンツ鍵を読み出す読み出しステップと、
前記保存鍵によって前記コンテンツ鍵を復号する第２の復号ステップと、
前記コンテンツ鍵によって前記コンテンツを復号する第３の復号ステップと
を含むことを特徴とするデータ復号処理方法。
【手続補正３】
【補正対象書類名】明細書
【補正対象項目名】０００１
【補正方法】変更
【補正の内容】
【０００１】
【発明の属する技術分野】
本発明は、データ処理装置および方法、並びにデータ復号処理装置および方法に関し、特に、情報を暗号化して記録するデータ処理装置および方法、並びにデータ復号処理装置および方法に関する。
【手続補正４】
【補正対象書類名】明細書
【補正対象項目名】０００８
【補正方法】変更
【補正の内容】
【０００８】
【課題を解決するための手段】
請求項１に記載のデータ処理装置は、記憶媒体との相互認証を行うとともに、記憶媒体と共有するための一時鍵を生成する相互認証手段と、コンテンツ鍵を一時鍵によって暗号化する暗号化手段と、少なくとも、一時鍵によって暗号化したコンテンツ鍵を記憶媒体に送信する送信手段とを備えることを特徴とする。
【手続補正５】
【補正対象書類名】明細書
【補正対象項目名】０００９
【補正方法】変更
【補正の内容】
【０００９】
請求項４に記載のデータ処理方法は、記憶媒体との相互認証を行うとともに、記憶媒体と共有するための一時鍵を生成する相互認証ステップと、コンテンツ鍵を一時鍵によって暗号化する暗号化ステップと、少なくとも、一時鍵によって暗号化したコンテンツ鍵を記憶媒体に送信する送信ステップとを含むことを特徴とする。
【手続補正６】
【補正対象書類名】明細書
【補正対象項目名】００１０
【補正方法】変更
【補正の内容】
【００１０】
請求項５に記載のデータ処理装置は、記憶媒体との相互認証を行うとともに、記憶媒体と共有するための一時鍵を生成する相互認証手段と、記憶媒体から一時鍵によって暗号化された保存鍵を受信する受信手段と、一時鍵によって保存鍵を復号する復号手段と、保存鍵によってコンテンツ鍵を暗号化する暗号化手段と、少なくとも、保存鍵で暗号化したコンテンツ鍵を記憶媒体に送信する送信手段とを備えることを特徴とする。
【手続補正７】
【補正対象書類名】明細書
【補正対象項目名】００１１
【補正方法】変更
【補正の内容】
【００１１】
請求項７に記載のデータ処理方法は、記憶媒体との相互認証を行うとともに、記憶媒体と共有するための一時鍵を生成する相互認証ステップと、記憶媒体から一時鍵によって暗号化された保存鍵を受信する受信ステップと、一時鍵によって保存鍵を復号する復号ステップと、保存鍵によってコンテンツ鍵を暗号化する暗号化ステップと、少なくとも、保存鍵で暗号化したコンテンツ鍵を記憶媒体に送信する送信ステップとを含むことを特徴とする。
【手続補正８】
【補正対象書類名】明細書
【補正対象項目名】００１２
【補正方法】変更
【補正の内容】
【００１２】
請求項８に記載のデータ処理装置は、コンテンツ鍵によってコンテンツを暗号化する第１の暗号化手段と、記憶媒体と相互認証を行うとともに、記憶媒体と共有するための一時鍵を生成する相互認証手段と、一時鍵によってコンテンツ鍵を暗号化する第２の暗号化手段と、少なくとも、一時鍵によって暗号化したコンテンツ鍵を記憶媒体に送信する送信手段とを備えることを特徴とする。
【手続補正９】
【補正対象書類名】明細書
【補正対象項目名】００１３
【補正方法】変更
【補正の内容】
【００１３】
請求項９に記載のデータ処理方法は、コンテンツ鍵によってコンテンツを暗号化する第１の暗号化ステップと、記憶媒体と相互認証を行うとともに、記憶媒体と共有するための一時鍵を生成する相互認証ステップと、一時鍵によってコンテンツ鍵を暗号化する第２の暗号化ステップと、少なくとも、一時鍵によって暗号化したコンテンツ鍵を記憶媒体に送信する送信ステップとを含むことを特徴とする。
【手続補正１０】
【補正対象書類名】明細書
【補正対象項目名】００１４
【補正方法】変更
【補正の内容】
【００１４】
請求項１０に記載のデータ処理装置は、コンテンツ鍵でコンテンツを暗号化する第１の暗号化手段と、記憶媒体と相互認証を行うともに、記憶媒体と共有するための一時鍵を生成する相互認証手段と、記憶媒体から一時鍵によって暗号化された保存鍵を受信する受信手段と、一時鍵によって保存鍵を復号する復号手段と、保存鍵によってコンテンツ鍵を暗号化する第２の暗号化手段と、少なくとも、保存鍵で暗号化したコンテンツ鍵を記憶媒体に送信する送信手段とを備えることを特徴とする。
【手続補正１１】
【補正対象書類名】明細書
【補正対象項目名】００１５
【補正方法】変更
【補正の内容】
【００１５】
請求項１１に記載のデータ処理方法は、コンテンツ鍵でコンテンツを暗号化する第１の暗号化ステップと、記憶媒体と相互認証を行うともに、記憶媒体と共有するための一時鍵を生成する相互認証ステップと、記憶媒体から一時鍵によって暗号化された保存鍵を受信する受信ステップと、一時鍵によって保存鍵を復号する復号ステップと、保存鍵によってコンテンツ鍵を暗号化する第２の暗号化ステップと、少なくとも、保存鍵で暗号化したコンテンツ鍵を記憶媒体に送信する送信ステップとを含むことを特徴とする。
【手続補正１２】
【補正対象書類名】明細書
【補正対象項目名】００１６
【補正方法】変更
【補正の内容】
【００１６】
請求項１２に記載のデータ復号処理装置は、記憶媒体と相互認証を行うともに、記憶媒体と共有するための一時鍵を生成する相互認証手段と、記憶媒体から一時鍵によって暗号化されたコンテンツ鍵を受信する受信手段と、一時鍵によってコンテンツ鍵を復号する第１の復号手段と、コンテンツ鍵によってコンテンツを復号する第２の復号手段とを備えることを特徴とする。
【手続補正１３】
【補正対象書類名】明細書
【補正対象項目名】００１７
【補正方法】変更
【補正の内容】
【００１７】
請求項１３に記載のデータ復号処理方法は、記憶媒体と相互認証を行うともに、記憶媒体と共有するための一時鍵を生成する相互認証ステップと、記憶媒体から一時鍵によって暗号化されたコンテンツ鍵を受信する受信ステップと、一時鍵によってコンテンツ鍵を復号する第１の復号ステップと、コンテンツ鍵によってコンテンツを復号する第２の復号ステップとを含むことを特徴とする。
【手続補正１４】
【補正対象書類名】明細書
【補正対象項目名】００１８
【補正方法】変更
【補正の内容】
【００１８】
請求項１４に記載のデータ復号処理装置は、記憶媒体と相互認証を行うともに、記憶媒体と共有するための一時鍵を生成する相互認証手段と、記憶媒体から一時鍵によって暗号化された保存鍵を受信する受信手段と、一時鍵によって保存鍵を復号する第１の復号手段と、記憶媒体から保存鍵によって暗号化されたコンテンツ鍵を読み出す読み出し手段と、保存鍵によってコンテンツ鍵を復号する第２の復号手段と、コンテンツ鍵によってコンテンツを復号する第３の復号手段とを備えることを特徴とする。
【手続補正１５】
【補正対象書類名】明細書
【補正対象項目名】００１９
【補正方法】変更
【補正の内容】
【００１９】
請求項１５に記載のデータ復号処理方法は、記憶媒体と相互認証を行うともに、記憶媒体と共有するための一時鍵を生成する相互認証ステップと、記憶媒体から一時鍵によって暗号化された保存鍵を受信する受信ステップと、一時鍵によって保存鍵を復号する第１の復号ステップと、記憶媒体から保存鍵によって暗号化されたコンテンツ鍵を読み出す読み出しステップと、保存鍵によってコンテンツ鍵を復号する第２の復号ステップと、コンテンツ鍵によってコンテンツを復号する第３の復号ステップとを含むことを特徴とする。
【手続補正１６】
【補正対象書類名】明細書
【補正対象項目名】００２０
【補正方法】変更
【補正の内容】
【００２０】
請求項１に記載のデータ処理装置および請求項４に記載のデータ処理方法においては、記憶媒体との相互認証が行われるとともに、記憶媒体と共有するための一時鍵が生成され、コンテンツ鍵が一時鍵によって暗号化され、少なくとも、一時鍵によって暗号化したコンテンツ鍵が記憶媒体に送信される。
【手続補正１７】
【補正対象書類名】明細書
【補正対象項目名】００２１
【補正方法】変更
【補正の内容】
【００２１】
請求項５に記載のデータ処理装置および請求項７に記載のデータ処理方法においては、記憶媒体との相互認証が行われるとともに、記憶媒体と共有するための一時鍵が生成され、記憶媒体から一時鍵によって暗号化された保存鍵が受信され、一時鍵によって保存鍵が復号され、保存鍵によってコンテンツ鍵が暗号化され、少なくとも、保存鍵で暗号化したコンテンツ鍵が記憶媒体に送信される。
【手続補正１８】
【補正対象書類名】明細書
【補正対象項目名】００２２
【補正方法】変更
【補正の内容】
【００２２】
請求項８に記載のデータ処理装置および請求項９に記載のデータ処理方法においては、コンテンツ鍵によってコンテンツが暗号化され、記憶媒体と相互認証が行われるとともに、記憶媒体と共有するための一時鍵が生成され、一時鍵によってコンテンツ鍵が暗号化され、少なくとも、一時鍵によって暗号化したコンテンツ鍵が記憶媒体に送信される。
【手続補正１９】
【補正対象書類名】明細書
【補正対象項目名】００２３
【補正方法】変更
【補正の内容】
【００２３】
請求項１０に記載のデータ処理装置および請求項１１に記載のデータ処理方法においては、コンテンツ鍵でコンテンツが暗号化され、記憶媒体と相互認証が行われるともに、記憶媒体と共有するための一時鍵が生成され、記憶媒体から一時鍵によって暗号化された保存鍵が受信され、一時鍵によって保存鍵が復号され、保存鍵によってコンテンツ鍵が暗号化され、少なくとも、保存鍵で暗号化したコンテンツ鍵が記憶媒体に送信される。
【手続補正２０】
【補正対象書類名】明細書
【補正対象項目名】００２４
【補正方法】変更
【補正の内容】
【００２４】
請求項１２に記載のデータ復号処理装置および請求項１３に記載のデータ復号処理方法においては、記憶媒体と相互認証が行われるともに、記憶媒体と共有するための一時鍵が生成され、記憶媒体から一時鍵によって暗号化されたコンテンツ鍵が受信され、一時鍵によってコンテンツ鍵が復号され、コンテンツ鍵によってコンテンツが復号される。
【手続補正２１】
【補正対象書類名】明細書
【補正対象項目名】００２５
【補正方法】変更
【補正の内容】
【００２５】
請求項１４に記載のデータ復号処理装置および請求項１５に記載のデータ復号処理方法においては、記憶媒体と相互認証を行われるともに、記憶媒体と共有するための一時鍵が生成され、記憶媒体から一時鍵によって暗号化された保存鍵が受信され、一時鍵によって保存鍵が復号され、記憶媒体から保存鍵によって暗号化されたコンテンツ鍵が読み出され、保存鍵によってコンテンツ鍵が復号され、コンテンツ鍵によってコンテンツが復号される。
【手続補正２２】
【補正対象書類名】明細書
【補正対象項目名】００２７
【補正方法】変更
【補正の内容】
【００２７】
請求項１に記載のデータ処理装置は、記憶媒体との相互認証を行うとともに、記憶媒体と共有するための一時鍵を生成する相互認証手段（例えば、図１の相互認証部１２）と、コンテンツ鍵を一時鍵によって暗号化する暗号化手段（例えば、図１の暗号化部１３）と、少なくとも、一時鍵によって暗号化したコンテンツ鍵を記憶媒体に送信する送信手段（例えば、図１の通信部１１）とを備えることを特徴とする。
【手続補正２３】
【補正対象書類名】明細書
【補正対象項目名】００２８
【補正方法】変更
【補正の内容】
【００２８】
請求項５に記載のデータ処理装置は、記憶媒体との相互認証を行うとともに、記憶媒体と共有するための一時鍵を生成する相互認証手段（例えば、図１の相互認証部１２）と、記憶媒体から一時鍵によって暗号化された保存鍵を受信する受信手段（例えば、図１の通信部１１）と、一時鍵によって保存鍵を復号する復号手段（例えば、図１の復号部１４）と、保存鍵によってコンテンツ鍵を暗号化する暗号化手段（例えば、図１の暗号化部１３）と、少なくとも、保存鍵で暗号化したコンテンツ鍵を記憶媒体に送信する送信手段（例えば、図１の通信部１１）とを備えることを特徴とする。
【手続補正２４】
【補正対象書類名】明細書
【補正対象項目名】００２９
【補正方法】変更
【補正の内容】
【００２９】
請求項８に記載のデータ処理装置は、コンテンツ鍵によってコンテンツを暗号化する第１の暗号化手段（例えば、図１の暗号化部１３）と、記憶媒体と相互認証を行うとともに、記憶媒体と共有するための一時鍵を生成する相互認証手段（例えば、図１の相互認証部１２）と、一時鍵によってコンテンツ鍵を暗号化する第２の暗号化手段（例えば、図１の暗号化部１３）と、少なくとも、一時鍵によって暗号化したコンテンツ鍵を記憶媒体に送信する送信手段（例えば、図１の通信部１１）とを備えることを特徴とする。
【手続補正２５】
【補正対象書類名】明細書
【補正対象項目名】００３０
【補正方法】変更
【補正の内容】
【００３０】
請求項１０に記載のデータ処理装置は、コンテンツ鍵でコンテンツを暗号化する第１の暗号化手段（例えば、図１の暗号化部１３）と、記憶媒体と相互認証を行うともに、記憶媒体と共有するための一時鍵を生成する相互認証手段（例えば、図１の相互認証部１２）と、記憶媒体から一時鍵によって暗号化された保存鍵を受信する受信手段（例えば、図１の通信部１１）と、一時鍵によって保存鍵を復号する復号手段（例えば、図１の復号部１４）と、保存鍵によってコンテンツ鍵を暗号化する第２の暗号化手段（例えば、図１の暗号化部１３）と、少なくとも、保存鍵で暗号化したコンテンツ鍵を記憶媒体に送信する送信手段（例えば、図１の通信部１１）とを備えることを特徴とする。
【手続補正２６】
【補正対象書類名】明細書
【補正対象項目名】００３１
【補正方法】変更
【補正の内容】
【００３１】
請求項１２に記載のデータ復号処理装置は、記憶媒体と相互認証を行うともに、記憶媒体と共有するための一時鍵を生成する相互認証手段（例えば、図１の相互認証部１２）と、記憶媒体から一時鍵によって暗号化されたコンテンツ鍵を受信する受信手段（例えば、図１の通信部１１）と、一時鍵によってコンテンツ鍵を復号する第１の復号手段（例えば、図１の復号部１４）と、コンテンツ鍵によってコンテンツを復号する第２の復号手段（例えば、図１の復号部１４）とを備えることを特徴とする。
請求項１４に記載のデータ復号処理装置は、記憶媒体と相互認証を行うともに、記憶媒体と共有するための一時鍵を生成する相互認証手段（例えば、図１の相互認証部１２）と、記憶媒体から一時鍵によって暗号化された保存鍵を受信する受信手段（例えば、図１の通信部１１）と、一時鍵によって保存鍵を復号する第１の復号手段（例えば、図１の復号部１４）と、記憶媒体から保存鍵によって暗号化されたコンテンツ鍵を読み出す読み出し手段（例えば、図１の通信部１１）と、保存鍵によってコンテンツ鍵を復号する第２の復号手段（例えば、図１の復号部１４）と、コンテンツ鍵によってコンテンツを復号する第３の復号手段（例えば、図１の復号部１４）とを備えることを特徴とする。
【手続補正２７】
【補正対象書類名】明細書
【補正対象項目名】００９９
【補正方法】変更
【補正の内容】
【００９９】
【発明の効果】
請求項１に記載のデータ処理装置および請求項４に記載のデータ処理方法によれば、記憶媒体との相互認証を行うとともに、記憶媒体と共有するための一時鍵を生成し、コンテンツ鍵を一時鍵によって暗号化し、少なくとも、一時鍵によって暗号化したコンテンツ鍵を記憶媒体に送信するようにしたので、安価な汎用の半導体メモリを使用して、不正な情報の複製を防止することができるようになる。
【手続補正２８】
【補正対象書類名】明細書
【補正対象項目名】０１００
【補正方法】変更
【補正の内容】
【０１００】
請求項５に記載のデータ処理装置および請求項７に記載のデータ処理方法によれば、記憶媒体との相互認証を行うとともに、記憶媒体と共有するための一時鍵を生成し、記憶媒体から一時鍵によって暗号化された保存鍵を受信し、一時鍵によって保存鍵を復号し、保存鍵によってコンテンツ鍵を暗号化し、少なくとも、保存鍵で暗号化したコンテンツ鍵を記憶媒体に送信するようにしたので、安価な汎用の半導体メモリを使用して、不正な情報の複製を防止することができるようになる。
【手続補正２９】
【補正対象書類名】明細書
【補正対象項目名】０１０１
【補正方法】変更
【補正の内容】
【０１０１】
請求項８に記載のデータ処理装置および請求項９に記載のデータ処理方法によれば、コンテンツ鍵によってコンテンツを暗号化し、記憶媒体と相互認証を行うとともに、記憶媒体と共有するための一時鍵を生成し、一時鍵によってコンテンツ鍵を暗号化し、少なくとも、一時鍵によって暗号化したコンテンツ鍵を記憶媒体に送信するようにしたので、安価な汎用の半導体メモリを使用して、不正な情報の複製を防止することができるようになる。
【手続補正３０】
【補正対象書類名】明細書
【補正対象項目名】０１０２
【補正方法】変更
【補正の内容】
【０１０２】
請求項１０に記載のデータ処理装置および請求項１１に記載のデータ処理方法によれば、コンテンツ鍵でコンテンツを暗号化し、記憶媒体と相互認証を行うともに、記憶媒体と共有するための一時鍵を生成し、記憶媒体から一時鍵によって暗号化された保存鍵を受信し、一時鍵によって保存鍵を復号し、保存鍵によってコンテンツ鍵を暗号化し、少なくとも、保存鍵で暗号化したコンテンツ鍵を記憶媒体に送信するようにしたので、安価な汎用の半導体メモリを使用して、不正な情報の複製を防止することができるようになる。
【手続補正３１】
【補正対象書類名】明細書
【補正対象項目名】０１０３
【補正方法】変更
【補正の内容】
【０１０３】
請求項１２に記載のデータ復号処理装置および請求項１３に記載のデータ復号処理方法によれば、記憶媒体と相互認証を行うともに、記憶媒体と共有するための一時鍵を生成し、記憶媒体から一時鍵によって暗号化されたコンテンツ鍵を受信し、一時鍵によってコンテンツ鍵を復号し、コンテンツ鍵によってコンテンツを復号するようにしたので、安価な汎用の半導体メモリを使用して、不正な情報の複製を防止することができるようになる。
請求項１４に記載のデータ復号処理装置および請求項１５に記載のデータ復号処理方法によれば、記憶媒体と相互認証を行うともに、記憶媒体と共有するための一時鍵を生成し、記憶媒体から一時鍵によって暗号化された保存鍵を受信し、一時鍵によって保存鍵を復号し、記憶媒体から保存鍵によって暗号化されたコンテンツ鍵を読み出し、保存鍵によってコンテンツ鍵を復号し、コンテンツ鍵によってコンテンツを復号するようにしたので、安価な汎用の半導体メモリを使用して、不正な情報の複製を防止することができるようになる。